(57)【特許請求の範囲】
【請求項１】
門型枠の両側前縁に蛇腹状に折り畳み可能な両側面壁体を連設するとともにそれらの前端間に前面壁体を連設し、かつ門型枠の背面開口を閉じる背面壁体を門型枠に開閉可能に連結し、少なくとも両側面壁体と背面壁体に面状発熱体を配設して加熱室を構成したサウナ装置において、伸展状態の両側面壁体と前面壁体の下端部の内側に嵌合可能なコ字状の枠部材の後端部を門型枠の下端部に着脱可能に枢着し、枠部材の前後方向中間部に椅子脚の下端部を回動自在に連結し、椅子座枠の前端部を椅子脚の上端部に回動自在に連結するとともに後端部を門型枠に着脱可能に枢着したことを特徴とするサウナ装置。
【請求項２】
枠部材と椅子脚の連結部及び椅子脚と椅子座枠の連結部を、椅子の使用状態から折り畳み方向にのみ回動し、使用状態よりさらに椅子脚と椅子座枠が開くのを阻止するように構成したことを特徴とする請求項１記載のサウナ装置。
【発明の詳細な説明】
【０００１】
【発明の属する技術分野】
本発明はサウナ装置に関し、特に家庭用の小型のサウナ装置に関する。
【０００２】
【従来の技術】
近年、折り畳み可能で持ち運びに便利な家庭用のサウナ装置が種々提案されている。この種の従来のサウナ装置としては、下記の特許文献１及び特許文献２に開示したものがある。
【特許文献１】
実願昭５９ー４９８５４号（実開昭６０ー１６０８３４号）のマイクロフィルム
【特許文献２】
特開平７ー２１３５７８号公報
【０００３】
特許文献１は、本出願人は先に加熱室を形成する折り畳み可能な囲壁体と、垂直に折り畳んだ位置と囲壁体の下端部内周に嵌合して囲壁体を所定の拡開状に維持せしめる水平位置との間で上下に回動可能な枠部材と、枠部材を垂直に折り畳んだときに折り畳み状態となり水平位置にした時に座れる状態になる折り畳み椅子とを具備したものを提案したものである。
【０００４】
その囲壁体は、背面壁体、左右側面壁体、前面壁体と、加熱室上部を覆う可撓性のあるカバー体から成り、背面壁体の両側縁から前方に枠部が突出され、この枠部の下端部に枠部材の後端部が枢支されている。左右側面壁体には、垂直方向の折り曲げ部が形成され、前後に蛇腹状に折り畳み可能とされている。前面壁体は比較的低く形成され、その中央部に形成した開閉可能な分割部を開いて、あるいはその上を跨いで加熱室内に人が入れるように構成され、この前面壁体の上縁にカバー体の下縁が接合されるとともに、カバー体の中央部にファスナー等にて開閉可能な出入り用の開口が形成されている。
【０００５】
このような構成のサウナ装置によれば、囲壁体をほぼ拡開して枠部材を水平位置に回動させるだけで囲壁体が所定の拡開状に維持されるとともに椅子が座れる状態になり、カバー体の開口から加熱室内に入って椅子に座わることにより、極めて簡単かつ手軽にサウナ効果を享受することができる。
【０００６】
更に、特許文献２は、本出願人が門型枠の両側前縁に両側壁体を連設するとともにその前端間に前面壁を連設し、門型枠の背面開口に背面扉を設けて加熱室を形成し、門型枠の下端部にコ字状の枠部材を枢支し、この枠部材に底板を設け、少なくとも両側壁体と背面扉と底板に面状発熱体を配設し、門型枠の背面開口から車椅子に乗ったままで加熱室内に入ることができるようにしたものも提案したのもである。
【０００７】
【発明が解決しようとする課題】
ところが、上記のような折り畳み椅子を具備した構成のサウナ装置では、健常者にとっては大変使い勝手が良いが、身体障害者やけが人など、足が不自由なために車椅子に乗っている人の場合には、加熱室が狭くかつ折り畳み可能な囲壁体はその固定強度及び剛性が小さいために、車椅子から加熱室内の椅子に乗り移るのは極めて困難であり、車椅子の使用者にとっては大変使い勝手が悪く、手軽に利用できないという問題がある。即ち、折り畳み可能で持ち運びに便利な小型のサウナ装置であるにもかかわらず、その利点が最も発揮されるはずの人が手軽に利用できないという問題があった。
【０００８】
一方、枠部材に底板だけを設けたサウナ装置では、車椅子に乗っている人には便利であるが、折り畳み椅子を具備していないので、逆に健常者が使う場合には別途に椅子を用意して狭い加熱室に配置し、折り畳む場合にはその椅子を取り出す必要があり、取扱いが大変不便であるという問題があった。
【０００９】
本発明は、上記従来の問題点に鑑み、枠部材と連動して折り畳み可能な椅子を具備するとともに、不要時に容易に取り外すことができるサウナ装置を提案することを目的とする。
【００１０】
【課題を解決するための手段】
上記目的を達成するために本発明は、図中の参照符号を付して示すならば、請求項１にあっては門型枠２の両側前縁に蛇腹状に折り畳み可能な両側面壁体３、３を連設するとともにそれらの前端間に前面壁体４を連設し、かつ門型枠２の背面開口を閉じる背面壁体５を門型枠２に開閉可能に連結し、少なくとも両側面壁体３、３と背面壁体５に面状発熱体１４を配設して加熱室６を構成したサウナ装置１において、伸展状態の両側面壁体３、３と前面壁体４の下端部の内側に嵌合可能なコ字状の枠部材１１の後端部を門型枠２の下端部に着脱可能に枢着し、枠部材１１の前後方向中間部に椅子脚１７の下端部を回動自在に連結し、椅子座枠１８の前端部を椅子脚１７の上端部に回動自在に連結するとともに後端部を門型枠２に着脱可能に枢着してなる構成を採用するものである。
【００１１】
また、請求項２にあっては、枠部材１１と椅子脚１７の連結部及び椅子脚１７と椅子座枠１８の連結部を、椅子の使用状態から折り畳み方向にのみ回動し、使用状態よりさらに椅子脚１７と椅子座枠１８が開くのを阻止するように構成してなる請求項１記載の構成を採用するものである。
【００１３】
【発明の実施の形態】
以下、本発明の一実施形態のサウナ装置について、図１〜図１３を参照しながら説明する。
【００１４】
図１〜図３において、１は折り畳み式のサウナ装置であり、２はその本体枠としての門型枠である。門型枠２の両側前縁にはそれぞれ側面壁体３が連設され、これら側面壁体３、３の前端間に前面壁体４が連設されている。又、門型枠２の背面開口は開閉可能な背面壁体５にて開閉可能に閉じられ、これら門型枠２、両側面壁体３、３、前面壁体４及び背面壁体５にて囲まれた空間にて加熱室６が構成されている。背面壁体５は、図示例では１枚の扉体から成り、その一側が門型枠２の一方の側板２ａに回動可能に連結され、他側は適宜係止手段（図示せず）にて他方の側板２ａに係止可能とされている。側面壁体３は前方に向かって徐々に低くなりかつ前端上部が円弧状に形成されている。前面壁体４は加熱室６内から前方の視界が遮られないように比較的低く形成され、かつその中央部が最も低く形成されている。側面壁体３は所定間隔をあけて設けられた２つの折り曲げ部７にて蛇腹状に折り畳み可能な３枚の分割壁体８にて構成されている。また、前面壁体４の適当箇所にも折り曲げ部９が形成されている。
【００１５】
側面壁板３の各分割壁体８や背面壁体５は、それぞれの大きさに対応した断熱板１３と、断熱板１３の内面に適宜取付けられた面状発熱体１４と、これらを内外両面から覆う内布１５及び外布１６とから構成されている。また、前面壁体４は断熱板１３の内外両面を内布１５及び外布１６にて覆って構成されている。また、門型枠２と側面壁体３と前面壁体４と背面壁体５のそれぞれの連結部分や、両側面壁体３の折り曲げ部７や、前面壁体４の折り曲げ部９は、内布１５と外布１６を縫着することによって折り曲げ可能とされている。
【００１６】
そして、図１〜図３に示す加熱室６を形成した状態から、図４に示すように、両側面壁板３をその折り曲げ部７にて折り曲げて蛇腹状に折り畳み、また前面壁体４をその折り曲げ部９で折り曲げて側面壁板３の分割壁体８上に重ねることによって、これら両側面壁板３及び前面壁体４を門型枠２の前部に折り畳んでコンパクトに収納できるように構成されている。
【００１７】
門型枠２の下端部には、図３、図４及び図５に示すように、枢支金具１０が取付けられ、内側に向けて水平に支軸１０ａが突設されている。図５において、１１はコ字状の枠部材１１であり、枢支金具１０の支軸１０ａにてその両後端部が着脱自在に枢着され、伸展状態の両側面壁体３、３と前面壁体４の下端部の内側に嵌合した水平位置（実線で示す）と門型枠２内に折り畳んだ垂直位置（仮想線で示す）との間で上下に回動できるように構成されている。
【００１８】
枠部材１１には、図５〜図７に示すように、折り畳み椅子１２が一体的に連設されている。折り畳み椅子１２は、枠部材１１の両側板１１ａの前後方向中間部に下端部が枢支された椅子脚１７と、前端部が椅子脚１７の上端部に枢支され、後端部が門型枠２の側板２ａ内面の適当高さ位置に着脱自在に枢着される椅子座枠１８にて構成されている。
【００１９】
詳細構成を説明すると、枠部材１１の両側板１１ａの後端部に下端開放の軸受溝１９が形成され、図８に示すように、この軸受溝１９を支軸１０ａに上方から嵌合させることにより枠部材１１を着脱自在に枢着できるように構成されている。枠部材１１において、その両側板１１ａの前後方向中間位置の下部が連結板２０にて互いに連結され、また枠部材１１の前板１１ｂと連結板２０との間でも両側板１１ａの下面間に受板２１が設けられている。この受板２１上には、図１０に示すように、面状発熱体１４が配設され、さらにその上にすのこ板２２が配設されている。このすのこ板２２はその前端部が両側板１１ａに枢支され、図１０に実線で示し、図７に仮想線で示すように、上方に回動させて面状発熱体１４を配設できるように成されている。枠部材１１の一方の側板１１ａの外面には、図１０に示すように配線溝１１ｃが形成され、面状発熱体１４に対して給電する電線２５が配線されている。
【００２０】
椅子脚１７の下端部と枠部材１１の側板１１ａとは、蝶番２３にて椅子脚１７の下端部の前方寄りの位置で枢支され、また椅子脚１７の上端部の後方寄りの位置と椅子座枠１８の側板１８ａの前端下部とが枢支ピン２４にて枢支され、かつ枠部材１１に対して椅子脚１７を起立させた状態で、その下端が連結板２０の上面に係合するとともに、上端が椅子座枠１８の座板１８ｂの下面に係合するように構成されており、これによって図５に実線で示す折り畳み椅子１２の使用状態から仮想線で示す折り畳み方向には枠部材１１を回動することはできても、使用状態よりさらに椅子脚１７と椅子座枠１８が開く方向には枠部材１１を回動することができないように成されている。
【００２１】
椅子座枠１８の側板１８ａの後端部外面には支軸ピン２６が突設され、門型枠２の側板２ａの内面の所定位置には、図５及び図９に詳細を示すように、この支軸ピン２６を上方から着脱自在に嵌合するＵ字状の軸受孔２７ａを有する軸受金具２７が取付けられている。支軸ピン２６の先端には係合鍔２６ａが設けられ、軸受金具２７の背面にはこの係合鍔２６ａが嵌入係合する凹入部２７ｂが形成され、支軸ピン２６の離脱が確実に防止されている。
【００２２】
このように一体的に連結された枠部材１１と折り畳み椅子１２を門型枠２から取り外す場合には、図５や図７に示す状態では椅子座枠１８をさらに上方に回動させて支軸ピン２６を軸受金具２７から抜き出すことは上記のようにできないので、図１１に示すように、枠部材１１を略４５°程度上方に回動させた後椅子座枠１８を上方に回動させて支軸ピン２６を軸受金具２７から抜き出し、その後枠部材１１を上方に引き上げることによって軸受溝１９を支軸１０ａから抜き出せば良い。また、枠部材１１と折り畳み椅子１２を門型枠２に取付ける場合にも、上記とほぼ逆の手順で取付けることができる。
【００２３】
図１、図２において、３１は門型枠２の側板２ａ外面に配設された操作パネルであり、電源差込用ソケット３２、漏電ブレーカ３３、作動温度を任意に設定する操作ダイヤル３４、通電ランプ３５、適温ランプ３６等が配設されている。又、３７はサウナ装置１を折り畳んだ状態で両側面壁体３及び前面壁体４を固定するために門型枠２の側板２ａ外面の上部と下部に装着された固定ベルトであり、その先端部と相手側の両側面壁体３及び前面壁体４の適所に商品名「マジックテープ」などの互いに係止可能な係止布材３８、３９が取付けられている。
【００２４】
また、図１に示すように、加熱室６の上部開口は可撓性のあるカバー体４１にて閉じられ、その周縁が両側面壁部３、３と前面壁部４の上縁と門型枠２の上辺前縁に接合されている。カバー体４１は、図示は省略するが、適当な薄い断熱材の内面に熱反射用のアルミニウム箔を張り付け、これを内布と外布とで覆い、かつキルティングして成るものである。４２はカバー体４１の中央部に形成された開口であり、ファスナーなどの開閉手段４３にて閉じられている。また、４４は透明シートなどからなる覗き窓である。
【００２５】
以上の構成のサウナ装置１によれば、門型枠２の前部に折り畳まれている両側面壁体３をほぼ伸展した後、枠部材１１を水平位置に回動すると、図５に実線で示すように、この枠部材１１が前面壁体４と両側面壁体３、３の下端部内側に嵌合して、前面壁体４と両側面壁部３、３と門型枠２と背面壁体５にて門型枠２の前方に大きく突出した加熱室６を安定した状態で形成することができ、それと同時に折り畳み椅子１２が使用状態となる。こうして、加熱室６を形成した状態でカバー体４１の開口４２を開いた前方から、又は場合によれば背面壁体５を開いて後方から加熱室６内に入り、椅子座枠１８上に座った状態で各面状発熱体１４からの熱を受けてサウナ浴を享受することができる。
【００２６】
そして、加熱室６内では、両側面壁体３、３と背面壁体５とすのこ板２２の下部に配設された面状発熱体１４にて、両側と後ろ及び特に下からも熱が放射され、使用者を効果的に温めることができ、さらに加熱室６の上部開口がカバー体４１で閉じられているので、加熱室６内の雰囲気温度を高く保持して本格的なサウナ装置として使用することができる。
【００２７】
また、枠部材１１と椅子脚１７の連結部及び椅子脚１７と椅子座枠１８の連結部を、椅子の使用状態から折り畳み方向にのみ回動し、使用状態よりさらに椅子脚１７と椅子座枠１８が開く方向に枠部材１１が回動するのを阻止するように構成されているため、使用者が椅子座枠１８上に座ると、その荷重によって門型枠２が後方に倒れるのが防止され、使用者が後方にもたれかかっても加熱室６が後方に転倒する恐れがなく、安全に使用できる。
【００２８】
以上の説明では、枠部材１１を水平姿勢から垂直姿勢に回動させるのに伴って使用状態から折り畳み状態となる折り畳み椅子１２を具備した使用形態を説明したが、車椅子に乗ったまま使用する場合など折り畳み椅子１２が邪魔になる場合には、上記のように椅子を連設した枠部材１１を取外し、図１２、図１３に示すように、底板５２が配設されたコ字状の枠部材５１を取付ける。底板５２は、図１２、図１３に仮想線で示すように、その上に車椅子Ｃが乗ることができるように薄鋼板５３にて構成されている。薄鋼板５３の両側部は、枠部材５１の側枠材５１ａに装着されて固定されている。そして、この薄鋼板５３の下側に面状発熱体１４が配設され、さらにその下側は保護板５４にて覆われている。この底板５２における面状発熱体１４は、車椅子Ｃの車輪の通過領域を避けて底板５２の幅方向の中央部に配設されている。５１ａは、枠部材５１を折り畳む際に指をかけて引き上げるために前板に形成された把手凹部である。
【００２９】
尚、底板５２を枠部材５１に接合した木製の板材とその上面に耐久性を持たせるために張設した薄鋼板にて構成し、木製板材と薄鋼板の間に面状発熱体１４を配置してもよい。
【００３０】
また、図１２に示すように、門型枠２の両側の側板２ａの内側面に設けられた軸受金具２７と枠部材５１の側板５１ａの外側面における支軸１０ａから適当距離の箇所が、枠部材５１が水平位置になった時に伸張し、垂直位置になった時に適当に曲がる可撓帯状体５５にて互いに連結されている。
【００３１】
使用時には、上記と同様に加熱室６を形成した後、背面壁体５を開くことにより、車椅子Ｃに乗ったままで門型枠２の背面開口から加熱室６内に入ることができる。そして、加熱室６内では、両側面壁体３、３と背面壁体５と底板５２に配設された面状発熱体１４にて両側と後ろ及び特に下からも熱が放射され、車椅子Ｃ上の使用者を効果的に温めることができる。
【００３２】
また、車椅子Ｃが加熱室６に入った状態では、車椅子Ｃが底板５２上に乗っているため、その荷重によって枠部材５１が固定され、この枠部材５１に門型枠２が連結され、さらに枠部材５１が前面壁体４と両側面壁体３、３の下端部が嵌合しているために加熱室６が安定して保持されており、使用者がたとえ側面壁体３に接触しても転倒するようなことはなく、また底板５２を取付けた枠部材５１と門型枠２が可撓帯状体５５にて連結されているため、底板５２上の車椅子Ｃの荷重によって門型枠２が後方に倒れるのが防止され、使用者が後方にもたれかかっても加熱室６が後方に転倒する恐れがなく、従って車椅子の使用者でも安全である。
【００３３】
なお、上記実施形態では面状発熱体１４を両側面壁体３、３と背面壁体５と底面の受板２１上又は底板５２にのみ配設したが、前面壁体４や加熱室６の上部開口を覆う部材にも設けてよいことは言うまでもない。また、前面壁体４を断熱板１３を内蔵した剛性のあるものを例示したが、可撓性のある部材にて構成することもできる。
【００３４】
また、上記実施形態では、加熱室６の上部開口を可撓性のあるカバー体４１で閉じたサウナ装置１を例示したが、図１２に示すように、加熱室６の上部を開放しても良く、特に面状発熱体１４が遠赤外線を放射するものであれば、加熱室６の上部を覆っていない場合でも車椅子Ｃ上の使用者を効果的に温めることができる。
【００３５】
【発明の効果】
本発明の請求項１のサウナ装置によれば、門型枠の前部に折り畳まれている両側面壁体をほぼ伸展した後、枠部材を水平位置に回動し、この枠部材を前面壁体と両側面壁体の下端部内側に嵌合することにより、前面壁体と両側面壁体と門型枠と背面壁体にて門型枠の前方に大きく突出した加熱室を形成できるとともにその状態を安定して維持でき、かつその状態で折り畳み椅子が使用状態となるので、使用者は椅子に座ってサウナ浴を楽しむことができる。また、使用後は枠部材と折り畳み椅子を折り畳んで門型枠内に収納し、その前部に側面壁体や前面壁体を折り畳むことによりコンパクトに収納することができる。
【００３６】
また、一体的に連設された枠部材と折り畳み椅子を門型枠に対して着脱できるので、分解することによって軽くでき、持ち運びを容易にできる。また、例えば車椅子に乗った人が使用する場合など、椅子が邪魔になる場合などには一体的に連設された枠部材と折り畳み椅子を取り外して底板を設けた枠部材に取り替えることによって簡単に対処でき、特注品を製作することなく多彩な使用形態が可能となる。
そして、背面開口を閉じる背面壁体を門型枠に開閉可能に連結しているので、背面壁体を開くことにより門型枠の背面開口から加熱室内に入ることができ、折り畳み椅子を取外した使用形態の場合に例えば車椅子に乗ったままでも加熱室内に入ることができる。
【００３７】
請求項２にあっては、枠部材と椅子脚の連結部及び椅子脚と椅子座枠の連結部を、椅子の使用状態から折り畳み方向にのみ回動し、使用状態よりさらに椅子脚と椅子座枠が開くのを阻止するように構成しているため、使用者が椅子座枠上に座ると、その荷重によって門型枠が後方に倒れるのが防止され、使用者が後方にもたれかかっても加熱室が後方に転倒する恐れがなく、安全に使用できる。
【図面の簡単な説明】
【図１】本発明のサウナ装置の一実施形態の外観斜視図である。
【図２】同実施形態の上面開口のカバー体と底面の枠部材を取り除いて示した斜視図である。
【図３】図２の横断平面図である。
【図４】同実施形態の加熱室の折り畳み途中の状態を示す図３と同様の横断平面図である。
【図５】同実施形態の縦断側面図である。
【図６】同実施形態の枠部材と折り畳み椅子の平面図である。
【図７】図６の縦断正面図である。
【図８】同実施形態における枠部材と門型枠との枢支部の分解斜視図である。
【図９】同実施形態における椅子座枠と門型枠との枢支部の分解斜視図である。
【図１０】同実施形態における枠部材前部の構造を示す斜視図である。
【図１１】同実施形態における枠部材と折り畳み椅子を門型枠から取り外す過程を示す概略斜視図である。
【図１２】同実施形態における他の使用状態を示す縦断側面図である。
【図１３】図１２の横断平面図である。
【符号の説明】
１  サウナ装置
２  門型枠
３  側面壁体
４  前面壁体
５  背面壁体
６  加熱室
１０  枢支金具
１１  枠部材
１４  面状発熱体
１７  椅子脚
１８  椅子座枠
１９  軸受溝
２３  蝶番
２４  枢支ピン
２６  支軸ピン
２７  軸受金具
【図１】
0003615863.tif 000002
【図２】
0003615863.tif 000003
【図３】
0003615863.tif 000004
【図４】
0003615863.tif 000005
【図５】
0003615863.tif 000006
【図６】
0003615863.tif 000007
【図７】
0003615863.tif 000008
【図８】
0003615863.tif 000009
【図９】
0003615863.tif 000010
【図１０】
0003615863.tif 000011
【図１１】
0003615863.tif 000012
【図１２】
0003615863.tif 000013
【図１３】
0003615863.tif 000014